(57)【要約】  【課題】  電話番号を電話帳に登録する際、一般の電話番号はデフォルトで提示された番号の空欄に登録でき、特別な電話番号は特別な領域に登録できる携帯電話機を提供する。  【解決手段】  携帯電話機１は、メモリ２２内に複数のデータ登録欄３１の集合からなる電話帳３０を設定している。電話帳３０は特別登録領域３２と一般登録領域３３に区分されており、電話番号登録時、制御部２０は一般登録領域３３内の空欄を登録場所候補としてデフォルトで提示し、所定の操作が行われたときのみ特別登録領域３２内の空欄を登録場所候補として提示する。特別登録領域３２のデータ登録欄３１は複数のフォルダ３４、３５、３６のいずれかに属し、制御部２０は特別登録領域３２内の空欄を提示するに先立ち複数のフォルダを選択肢として提示する。【選択図】      図３
2007043380.tif 000002
【特許請求の範囲】
【請求項１】
複数のデータ登録欄の集合からなる電話帳をメモリ内に設定した携帯電話機において、
前記電話帳は特別登録領域と一般登録領域に区分されており、電話番号登録時、制御部は前記一般登録領域内の空欄番号を登録場所候補としてデフォルトで提示し、所定の操作が行われたときのみ前記特別登録領域内の空欄番号を登録場所候補として提示することを特徴とする携帯電話機。
【請求項２】
前記特別登録領域のデータ登録欄は複数のフォルダのいずれかに属し、前記制御部は特別登録領域内の空欄番号を提示するに先立ち前記複数のフォルダを選択肢として提示することを特徴とする請求項１に記載の携帯電話機。
【発明の詳細な説明】
【技術分野】
【０００１】
本発明はメモリ機能を備えた携帯電話機に関する。
【背景技術】
【０００２】
近年の携帯電話機はメモリ容量が大きく、その容量の一部を割いて何百件もの電話番号を登録できる電話帳機能を持たせることが一般的になっている。新規に電話番号を登録するときは登録可能な空欄を探す必要があるが、その探索は携帯電話機の方で自動的にやってくれるのが普通である。類似技術を特許文献１に見ることができる。
【特許文献１】特開平１１−１４３８８１号公報（第３頁［００３６］、図１−４）
【発明の開示】
【発明が解決しようとする課題】
【０００３】
携帯電話機の電話帳に電話番号を登録するとき、電話番号によっては他の電話番号と区別して特別扱いで登録したい場合がある。家族、友人、仕事関係の人々などの電話番号がそれである。そのような場合、携帯電話機が一律扱いで提示する番号の空欄にしか登録できないのでは具合が悪い。
【０００４】
本発明は上記問題点に鑑みなされたものであり、電話番号を電話帳に登録する際、一般の電話番号はデフォルトで提示された番号の空欄をそのまま利用して登録でき、特別な電話番号は特別な領域に登録できるようにした携帯電話機を提供することを目的とする。
【課題を解決するための手段】
【０００５】
（１）上記目的を達成するために本発明は、複数のデータ登録欄の集合からなる電話帳をメモリ内に設定した携帯電話機において、前記電話帳は特別登録領域と一般登録領域に区分されており、電話番号登録時、制御部は前記一般登録領域内の空欄番号を登録場所候補としてデフォルトで提示し、所定の操作が行われたときのみ前記特別登録領域内の空欄番号を登録場所候補として提示することを特徴としている。
【０００６】
この構成によると、特別でない電話番号はデフォルトで提示される一般登録領域の空欄に迷わず登録し、特別な電話番号のみ特別登録領域の空欄を提示させて登録すればよいから、提示された番号の空欄をそのまま利用することによる時間的メリットを享受できるうえ、特別な電話番号は他と区別して登録できるという、管理上のメリットも享受できる。
【０００７】
（２）また本発明は、上記構成の携帯電話機において、前記特別登録領域のデータ登録欄は複数のフォルダのいずれかに属し、前記制御部は特別登録領域内の空欄番号を提示するに先立ち前記複数のフォルダを選択肢として提示することを特徴としている。
【０００８】
この構成によると、一口に「特別」と言ってもその意味合いが様々である電話番号を、属性で仕分けて複数のフォルダのいずれかに登録すればよいから、電話番号を一層適切に管理することができる。
【発明の効果】
【０００９】
本発明によると、電話帳を一般登録領域と特別登録領域に区分したことにより、電話をかける際、特別登録領域に登録した電話番号を優先的に一覧表示するなどの使い方が可能になり、携帯電話機の使い勝手が向上する。
【発明を実施するための最良の形態】
【００１０】
以下、本発明の実施形態を図１−７に基づき説明する。図１は携帯電話機の斜視図、図２は携帯電話機のブロック構成図、図３は電話帳の概念図、図４は電話番号登録時のフローチャート、図５−７は電話番号登録時の表示画面の図である。
【００１１】
携帯電話機１のケースはクラムシェルタイプ、すなわち二つ折り形状であって、表示部ケース２と操作部ケース３をヒンジ部４で連結した構造を備える。
【００１２】
表示部ケース２と操作部ケース３に配置される構成要素を、図２を参照しつつ説明する。
二つ折りにしたとき内側になる面、すなわち内面側には次の構成要素が設けられる。表示部ケース２には、液晶表示パネルにより構成される主表示部５と、内蔵された受話ユニット６の音を出す聴話孔７が設けられている。操作部ケース３には、テンキーや各種のファンクションキーを配置したキー入力部８と、内蔵された送話ユニット９に音声を届かせる通話孔１０が設けられている。
【００１３】
二つ折りにしたとき外側になる面、すなわち外面側には次の構成要素が配置される。表示部ケース２には、液晶表示パネルにより構成される副表示部１１と、内蔵されたカメラユニット１２のレンズ部分が設けられている。操作部ケース３には着信音などを鳴らす拡声スピーカ１３が配置されている。
【００１４】
携帯電話機１の制御を統括するのは制御部２０である。制御部２０には、主表示部５、副表示部１１、受話ユニット６、カメラユニット１２、キー入力部８、送話ユニット９、拡声スピーカ１３といった既出要素の他、送受信部２１と、制御部２０を機能させるのに必要な情報あるいは携帯電話機１の動作に必要な情報を記憶するメモリ２２が接続されている。
【００１５】
メモリ２２の内部には、図３にデータ構成を示す電話帳３０が設定される。電話帳３０は複数のデータ登録欄３１の集合からなる。図３ではデータ登録欄が５００個存在することになっているが、もちろんその数に制限がある訳ではない。電話帳３０は特別登録領域３２と一般登録領域３３に区分され、それぞれにデータ登録欄３１を振り分ける。図３では特別登録領域３２にＮｏ．１〜Ｎｏ．１００のデータ登録欄３１が振り分けられ、一般登録領域３３にＮｏ．１０１〜Ｎｏ．５００のデータ登録欄３１が振り分けられている。振り分けの比率は携帯電話機所有者が任意に設定できる。
【００１６】
使用者は特別登録領域３２に複数のフォルダを設定する。図３では「家族」フォルダ３４、「友人」フォルダ３５、及び「仕事」フォルダ３６が設定されている。そして、特別登録領域３２に振り分けられたデータ登録欄３１を上記フォルダにさらに振り分ける。図３では「家族」フォルダ３４にＮｏ．１〜Ｎｏ．５のデータ登録欄３１が振り分けられ、「友人」フォルダ３５にＮｏ．６〜Ｎｏ．５０のデータ登録欄３１が振り分けられ、「仕事」フォルダ３６にＮｏ．５１〜Ｎｏ．１００のデータ登録欄が振り分けられている。フォルダ数の設定とその命名、及びどのフォルダにどのデータ登録欄３１を振り分けるかの設定も携帯電話機所有者が任意に行える。
【００１７】
続いて、図４−７を参照しつつ電話番号の登録の流れを説明する。新規に電話番号を登録するときは、携帯電話機１を電話番号新規登録モードにし、キー入力部８の各種キーを使用して電話番号及び氏名その他の付属情報を入力する（図４のフローチャートにおけるステップＳ１０１）。
【００１８】
入力を終え、登録を確定する段階になると、主表示部５の画面に図５のような問い合わせ窓が表示される（ステップＳ１０２）。この問い合わせ窓は、入力したばかりの電話番号が電話帳３０の一般登録領域３３に登録されることを前提として、一般登録領域３３のデータ登録欄３１の中で空欄となっているもの（しかもその番号が一番小さいもの）の番号を登録場所候補としてデフォルトで提示している。一般登録で構わない種類の電話番号であり、登録場所も提示された空欄で差し支えない場合は、キー入力部８のジョグキー（十字キー）の中心の確定キーを押す。すると図４のフローチャートでステップＳ１０３からステップＳ１０４を回避してステップＳ１０５へ進んだことになり、提示された番号のデータ登録欄３１に、入力したばかりの電話番号及び付属情報が登録される。
【００１９】
登録先は一般登録領域３３で構わないが、デフォルトで提示された番号のデータ登録欄３１とは別の空欄に登録したいというときは、異なる番号の空欄を図５の画面上で検索し、選択する。そして確定キーを押す。フローチャートではステップＳ１０３からステップＳ１０４を経てステップＳ１０５に進んだことになり、選択したデータ登録欄３１に、入力したばかりの電話番号及び付属情報が登録される。
【００２０】
入力した電話番号が特別登録領域３２に登録したい種類のものである場合は、図５の
画面において、所定のファンクションキーを操作して「特別」を選択する。すると主表示部５の画面は図６に示す特別登録用の画面に切り替わる（ステップＳ１０６）。この画面には「家族」フォルダ３４、「友人」フォルダ３５、及び「仕事」フォルダ３６が表示されている。使用者はジョグキーを操作してどれか一つのフォルダを選択する（ステップＳ１０７）。図６では「友人」フォルダ３５が選択されている。なお図６の画面で所定のファンクションキーを操作して「一般」を選択すれば、一般登録用の画面に戻ることができる。
【００２１】
「友人」フォルダ３５を選択した後、確定キーを押すと、画面は図７のようになる（ステップＳ１０８）。図７の問い合わせ窓には、「友人」フォルダ３５のデータ登録欄３１の中で空欄となっているもの（しかもその番号が一番小さいもの）の番号が登録場所候補として提示されている。この番号で構わなければ確定キーを押す。するとフローチャートのステップはＳ１０８からステップＳ１０９を回避してステップＳ１０５へ進んだことになり、提示された番号のデータ登録欄３１に、入力したばかりの電話番号及び付属情報が登録される。
【００２２】
登録先は「友人」フォルダ３５で構わないが、提示された番号のデータ登録欄３１とは別の空欄に登録したいというときは、異なる番号の空欄を図７の画面上で検索し、選択する。そして確定キーを押す。フローチャートではステップＳ１０８からステップＳ１０９を経てステップＳ１０５に進んだことになり、選択したデータ登録欄３１に、入力したばかりの電話番号及び付属情報が登録される。
【００２３】
上記のように登録された電話番号は、一般登録領域３３のもののみ、あるいは特別登録領域３２のもののみ、選択的に一覧表示させることができる。また特別登録領域に登録された電話番号はフォルダ単位で一覧表示させることができる。
【００２４】
以上、本発明の実施形態につき説明したが、本発明の範囲はこれに限定されるものではなく、発明の主旨を逸脱しない範囲で種々の変更を加えて実施することができる。
【産業上の利用可能性】
【００２５】
本発明は携帯電話機に広く利用可能である。
【図面の簡単な説明】
【００２６】
【図１】携帯電話機の斜視図
【図２】携帯電話機のブロック構成図
【図３】電話帳の概念図
【図４】電話番号登録時のフローチャート
【図５】電話番号登録時の表示画面の図
【図６】電話番号登録時の表示画面の図にして、異なる状態を示すもの
【図７】電話番号登録時の表示画面の図にして、異なる状態を示すもの
【符号の説明】
【００２７】
１    携帯電話機
５    主表示部
８    キー入力部
２０  制御部
２２  メモリ
３０  電話帳
３１  データ登録欄
３２  特別登録領域
３３  一般登録領域
【図１】
2007043380.tif 000003
【図２】
2007043380.tif 000004
【図３】
2007043380.tif 000005
【図４】
2007043380.tif 000006
【図５】
2007043380.tif 000007
【図６】
2007043380.tif 000008
【図７】
2007043380.tif 000009